(57)【要約】【課題】車両の内装部材に被取付部材を取り付けるアタッチメントの使用性を向上させることができる取り付け構造を提供すること。【解決手段】アタッチメント４０、５０は、車両１の内装部材３０に設けられ、被取付部材４２、５２を取り付け可能な構造となっている。このアタッチメント４０、５０は、内装部材３０に対してスライド可能に設けられている。【選択図】図１
2012187998.tif 000002
【特許請求の範囲】
【請求項１】
車両の内装部材に設けられ、被取付部材を取り付け可能なアタッチメントの取り付け構造であって、
アタッチメントは、内装部材に対してスライド可能に設けられていることを特徴とするアタッチメントの取り付け構造。
【請求項２】
請求項１に記載のアタッチメントの取り付け構造であって、
内装部材は、アタッチメントを介して被取付部材に給電可能となっていることを特徴とするアタッチメントの取り付け構造。
【請求項３】
請求項１〜２のいずれかに記載のアタッチメントの取り付け構造であって、
アタッチメントは、内装部材に対して着脱可能に構成されていることを特徴とするアタッチメントの取り付け構造。
【発明の詳細な説明】
【技術分野】
【０００１】
本発明は、アタッチメントの取り付け構造に関し、詳しくは、車両の内装部材に設けられ、被取付部材を取り付け可能なアタッチメントの取り付け構造に関する。
【背景技術】
【０００２】
従来、車両の内装部材（例えば、インストルメントパネル）に被取付部材（例えば、携帯電話）を取り付ける技術が既に知られている。ここで、下記特許文献１には、車両の内装部材にアタッチメントを介して被取付部材を取り付ける技術が開示されている。このようなアタッチメントは、予め、取り付ける被取付部材の形状に応じて形成されている。そのため、車両の内装部材にアタッチメントを介することなく被取付部材を取り付ける場合と比較すると、取り付けた被取付部材の使用性を向上させることができる。
【先行技術文献】
【特許文献】
【０００３】
【特許文献１】特開平０８−２１４０５１号公報
【発明の概要】
【発明が解決しようとする課題】
【０００４】
しかしながら、上述した特許文献１の技術では、例えば、アタッチメントがインストルメントパネルの助手席と向かい合う位置に取り付けられている場合、助手席の乗員のとってはアタッチメントを使用し易かったが、運転席の乗員にとっては手が届き難くアタッチメントを使用し難かった。
【０００５】
本発明は、このような課題を解決しようとするもので、その目的は、車両の内装部材に被取付部材を取り付けるアタッチメントの使用性を向上させることができる取り付け構造を提供することを課題とする。
【課題を解決するための手段】
【０００６】
本発明は、上記の目的を達成するためのものであって、以下のように構成されている。
請求項１に記載の発明は、車両の内装部材に設けられ、被取付部材を取り付け可能なアタッチメントの取り付け構造であって、アタッチメントは、内装部材に対してスライド可能に設けられていることを特徴とする構造である。
この構造によれば、例えば、内装部材がインストルメントパネルの場合、アタッチメントを助手席の乗員が使用するときには、このアタッチメントを助手席と向かい合う位置に設定できる。また、このアタッチメントを運転席の乗員が使用するときには、このアタッチメントをスライドさせて運転席側に設定できる。そのため、インストルメントパネルに対してスライド不可能にアタッチメントが取り付けられている場合と比較すると、このアタッチメントの使用性を向上させることができる。
【０００７】
また、請求項２に記載の発明は、請求項１に記載のアタッチメントの取り付け構造であって、内装部材は、アタッチメントを介して被取付部材に給電可能となっていることを特徴とする構造である。
この構造によれば、例えば、被取付部材が携帯電話の場合、アタッチメントに携帯電話を装着させたとき、この装着させた携帯電話を充電できる。そのため、携帯電話の保管と充電を同時に行うことができるため、アタッチメントの利便性を高めることができる。
【０００８】
また、請求項３に記載の発明は、請求項１〜２のいずれかに記載のアタッチメントの取り付け構造であって、アタッチメントは、内装部材に対して着脱可能に構成されていることを特徴とする構造である。
この構造によれば、このアタッチメントを使用しないとき、このアタッチメントを取り外して保管できる。そのため、このアタッチメントを使用しないときの内装部材の見栄えを向上させることができる。
【図面の簡単な説明】
【０００９】
【図１】図１は、本発明の実施例に係るアタッチメントの取り付け構造を適用した車両内部の斜視図である。
【図２】図２は、図１のII−II線断面図である。
【図３】図３は、図１の両アタッチメントを運転席側にスライドさせた状態を示す図である。
【発明を実施するための形態】
【００１０】
以下、本発明を実施するための形態を、図１〜３を用いて説明する。なお、以下の説明にあたって、『内装部材』の例として、『インストルメントパネル３０』を例に説明することとし、また、『被取付部材』の例として、『缶ジュース４２、携帯電話５２』を例に説明することとする。また、以下の説明にあたって、上、下、前、後、左、右とは、上述した図に記載した、上、下、前、後、左、右の方向、すなわち、車両１を基準にしたときの上、下、前、後、左、右の方向を示している。
【００１１】
まず、図１を参照して、本発明の実施例に係る車両１の内部の概略構成を説明する。この車両１の内部は、図１からも明らかなように、運転席１０と、助手席２０とが配置されている。そして、これら運転席１０と助手席２０との向かい合う位置には、インストルメントパネル３０が配置されている。
【００１２】
このインストルメントパネル３０において、運転席１０の乗員が見易い位置に形成されている表示部３０ａには、運転に必要な各種データ（例えば、車両速度）が表示されている。また、このインストルメントパネル３０において、助手席２０の乗員と向かい合う位置には、幅方向に沿って切欠３２が形成されている。
【００１３】
この切欠３２には、その長手方向に沿ってＬＥＤ等の照明部材（図示しない）が設けられている。これにより、夜間であっても、後述する両アタッチメント４０、５０のスライド可能範囲を認識できる。
【００１４】
次に、図２を参照して、インストルメントパネル３０の詳細な構成を説明する。このインストルメントパネル３０の切欠３２の内面側（反意匠面側）には、スライドレール３４が組み付けられている。
【００１５】
このスライドレール３４には、その長手方向に沿ってそれぞれスライド可能なスライダを成す第１のアタッチメント４０と第２のアタッチメント５０とが組み付けられている。この第１のアタッチメント４０は、缶ジュース４２を装着可能なカップホルダの形状を成している。
【００１６】
一方、この第２のアタッチメント５０は、携帯電話５２を装着可能なホルダの形状を成している。図１では、これら両アタッチメント４０、５０に缶ジュース４２と携帯電話５２とを装着させた状態を示している。
【００１７】
なお、第２のアタッチメント５０に携帯電話５２を装着させたとき、この装着させた携帯電話５２を充電できる構成としてもよい。その場合、スライドレール３４沿いには、給電のための給電レール（図示しない）が設けられている。この第２のアタッチメント５０は、スライドレール３４のどの位置にあっても、給電レールから給電されるように構成されている。そして、給電された電力は、第２のアタッチメント５０から無線により携帯電話５２へと送られる。このようにして、携帯電話５２を充電できる。
【００１８】
また、これら両アタッチメント４０、５０は、スライドレール３４の両端３４ａ、３４ａから取り外し可能となっている。
【００１９】
なお、これら両アタッチメント４０、５０は、スライドレール３４のどの位置にでもスライドさせることができる。図３では、これら両アタッチメント４０、５０を運転席１０側にスライドさせた状態を示している。
【００２０】
本発明の実施例に係るアタッチメント４０、５０の取り付け構造は、上述したように構成されている。この構成によれば、両アタッチメント４０、５０は、インストルメントパネル３０に対してスライド可能に設けられている。そのため、この両アタッチメント４０、５０を助手席２０の乗員が使用するときには、この両アタッチメント４０、５０を助手席２０と向かい合う位置に設定できる（図１参照）。また、この両アタッチメント４０、５０を運転席１０の乗員が使用するときには、この両アタッチメント４０、５０をスライドさせて運転席１０側に設定できる（図３参照）。したがって、インストルメントパネル３０に対してスライド不可能に両アタッチメント４０、５０が取り付けられている場合と比較すると、運転席１０の乗員でも、この両アタッチメント４０、５０を使用し易いため、この両アタッチメント４０、５０の使用性を向上させることができる。
【００２１】
また、この構成によれば、第２のアタッチメント５０に携帯電話５２を装着させたとき、この装着させた携帯電話５２を充電可能となっている。そのため、携帯電話５２の保管と充電を同時に行うことができるため、第２のアタッチメント５０の利便性を高めることができる。
【００２２】
また、この構成によれば、両アタッチメント４０、５０は、スライドレール３４の両端３４ａ、３４ａから取り外し可能となっている。そのため、この両アタッチメント４０、５０を使用しないとき、この両アタッチメント４０、５０を取り外して保管できる。したがって、この両アタッチメント４０、５０を使用しないときのインストルメントパネル３０の見栄えを向上させることができる。
【００２３】
上述した内容は、あくまでも本発明の一実施の形態に関するものであって、本発明が上記内容に限定されることを意味するものではない。
実施例では、『内装部材』の例として、『インストルメントパネル３０』を例に説明した。しかし、これに限定されるものでなく、『ドア内張り』、『コンソールボックス』等であっても構わない。
【００２４】
また、実施例では、『被取付部材』の例として、『缶ジュース４２、携帯電話５２』を例に説明した。しかし、これに限定されるものでなく、『ティッシュボックス』、『テーブル』、『傘』、『買い物をぶら下げるフック』、『鏡』等であっても構わない。その場合、これら『ティッシュボックス』、『テーブル』、『傘』、『買い物をぶら下げるフック』、『鏡』の形状に合うようにアタッチメントを形成すればよい。
【００２５】
また、下記に示すような形態にしても構わない。スライドレール３４は、ドアパネルに設けてもよい。運転席１０ならびに助手席２０は、各シート内部に設けられた位置センサーとアクチュエーターで、運転の状況に合わせて運転者の姿勢を矯正する機能を追加してもよい。また、これら運転席１０ならび助手席２０は、使用者が自由に取り外しが可能となっている。
【００２６】
また、これら運転席１０ならび助手席２０だけではなくデスク、ベッド等と付け替えることで自分の使い易い形にできる。運転席１０ならびに助手席２０は、広い範囲に送風穴をたくさん開け、そこからエアコンからの風を送り込んでもよい。運転席１０ならびに助手席２０に付設されたシートベルト（図示しない）、もしくはハンドル６０、アームレスト（図示しない）などの運転中に触れる部分に心拍数や体温を図るセンサを内蔵することで運転者の健康状態を監視すると共に、異常時に知らせるアラーム機能をもたせてもよい。
【００２７】
また、シートベルト（図示しない）で使用者の胴周りを測定してもよい。運転席１０ならびに助手席２０は、座った時にその形状が体の形に合うようになっている。また、運転席１０ならびに助手席２０は、通常は柔らかく、違和感がない。衝突した時に電気等で硬化し体を保持する。ハンドル６０に温度センサー（図示しない）を配置し、手の温度を測定、空調の温度を設定してもよい。
【００２８】
ハンドル６０の中央に鏡６０ａを設けてもよく、女性運転手などそのまま化粧、確認ができる。コンソール６２下部に暖房装置（図示しない）をセットすることにより、寒冷地でも直接または車両吹出し口を通じて大量のホットエアを効率的に送ることができる。コンソール６２内を赤ちゃん用哺乳瓶収納ボックスとしてもよい。その場合、消毒殺菌機能付き冷温庫の保温機能をパワーアップさせて煮沸消毒ｏｒプラズなどによる除菌を行ってもよい。
【００２９】
コンソール６２内に非接触充電機（図示しない）を設けてもよく、コンソール内で携帯電話（図示しない）などの端末機能を充電してもよい。コンソール６２内の平面一面に充電用の置き場があり、その下一面にコイル（図示しない）が分けて何箇所も置いてあり、その場の磁界の分布により使うコイルを検出して充電できるようにしてもよい。また電磁波のパワーを上げて、電子レンジ機能として活用してもよい。
【００３０】
コンソール６２の蓋６２ａをアームレストとして使用してもよく、その場合、高さ、前後位置の調整が可能となっている。また、アームレストに低反発クッションを利用して、その人に合わせた形になり、疲れにくくする。コンソール６２から人が乗っていない時に定期的にコンソールから車内に香料噴出してもよい。コンソール６２内をゴミ箱として使用してもよく、当該ゴミを自動処理して自己発電してもよい。
【００３１】
インストルメントパネル３０に設けられた警報装置（図示しない）が自車後部からのセンサー（図示しない）により後方からの距離と速度を判断し追突の危険性を搭乗者に警報音で知らせてもよい。インストルメントパネル３０に設けられた警報装置（図示しない）が自車後部からのセンサー（図示しない）により後方からの距離を計測し追突の危険性をホーンとハザードランプで相手車両に知らせてもよい。
【００３２】
インストルメントパネル３０に設けたカメラ（図示しない）を前面だけでなく、車室内３６０°見渡せるようにしておき車両盗難時の社内撮影も使用可能となっている。インストルメントパネル３０は、運転時間やアクセルやブレーキの踏み方などによってインパネ照明を変化させてもよい。例えば、運転手の乱暴な運転を検出した際には落ち着かせる為にインパネ照明を青色に変化させてもよい。
【００３３】
また、現在の運転を過去の運転と比べ、心理状態などを推測し、インストルメントパネル３０に設けたオーディオ（図示しない）や芳香装置（図示しない）から音楽や匂いなどを出し、運転に適した心理状態を保ってもよい。インストルメントパネル３０には予め芳香剤などを設けておき、キーレス開錠時に噴射することでドアを開けた際に車内の嫌な臭いなどを消臭することができる。
【００３４】
インストルメントパネル３０には、随所に光ファイバを仕込んでおき、夜になるとインストルメントパネル３０が星空のように光ることで昼と夜でインストルメントパネル３０の印象を変えてもよい。オーバーヘッドからプロジェクタ（図示しない）を使って、使用者が好きな柄をインストルメントパネル３０に表示させるようにして、自分の好みのインストルメントパネル３０になるようにしてもよい。
【００３５】
第１のアタッチメント４０の一部もしくは全部をアクリル樹脂部品にし、根元からのＬＥＤ発光を透過させてもよい。もしくは、第１のアタッチメント４０の一部もしくは全部に光ファイバを使い発光を透過させてもよい。第１のアタッチメント４０には、振り子形状とは反対に動くような機構を設ける事で中身がこぼれないようにしてもよい。
【００３６】
第１のアタッチメント４０はアームのようなもので挟み込んでもよい。また人間の手のようなもので把持してもよい。第１のアタッチメント４０には、ペルチェ素子を使いホルダの発熱もしくは冷却を行ってもよい。また、夏はエアコンのダクトから冷気を導入し、冬はヒーターの熱源として使用し排熱側の冷却を行ってもよい。また、第１のアタッチメント４０自身に設けた熱センサー（図示しない）を利用して、飲み物の温度を感知してそれに合わせて、保温か保冷なのか判断して飲み物の温度を保つようにしてもよい。
【００３７】
ピラー６４を透明な強化樹脂で構成し、死角を減らしてもよい。また、電子ペーパーのように屈曲性のある表示デバイスをピラー６４に搭載させ、車外に設けたカメラと連動させることで、当該電子ペーパーにて死角部の表示を行い安全性向上を図ってもよい。フロントガラス６６を樹脂製としてもよく。また、最初から氷がつかないようなコーティングを施しておいてもよい。
【符号の説明】
【００３８】
１      車両
３０    インストルメントパネル（内装部材）
４０    第１のアタッチメント
４２    缶ジュース（被取付部材）
５０    第２のアタッチメント
５２    携帯電話（被取付部材）
【図１】
2012187998.tif 000003
【図２】
2012187998.tif 000004
【図３】
2012187998.tif 000005